(57)【特許請求の範囲】
【請求項１】
少なくともＯＦＦレンジ，電圧測定レンジおよび電流測定レンジを含む各レンジを選択するファンクションスイッチと、コモン端子および前記測定レンジに対応して設けられた複数の入力端子と、前記コモン端子と前記入力端子の一つに対して選択的に接続可能な一対のテストリードと、前記ファンクションスイッチとリンク手段を介して連動し選択された前記測定レンジ以外の前記入力端子に対する前記テストリードの接続を規制する接続規制手段とを有する電気測定器において、
前記接続規制手段は、前記ファンクションスイッチにより前記ＯＦＦレンジもしくは前記電圧測定レンジのいずれかが選択されている場合には電圧入力端子に対してのみ前記テストリードの接続を可能とし、前記ファンクションスイッチにより前記電流測定レンジが選択されその電流入力端子に前記テストリードが接続されている状態においては前記ＯＦＦレンジの選択を禁止することを特徴とする電気測定器。
【請求項２】
前記ファンクションスイッチがロータリースイッチであり、前記接続規制手段が前記ロータリースイッチと同軸配置された円盤を有し、前記円盤の所定位置に前記入力端子に前記テストリードを接続可能とする貫通孔が形成されている請求項１に記載の電気測定器。
【発明の詳細な説明】
【０００１】
【産業上の利用分野】
本発明は電気測定器に係り、さらに詳しく言えば、電圧値，電流値および抵抗値等を測定するための測定レンジをファンクションスイッチにより選択するとともに、測定レンジに対応した端子にテストリードを接続する電気測定器に関するものである。
【０００２】
【従来の技術】
電圧値，電流値および抵抗値を測定するために、ＣＯＭ端子，Ｖ・Ωの電圧入力端子，ｍＡおよびＡの電流入力端子を有し、回転式のファンクションスイッチにより所望とする測定レンジを選択するとともに、この測定レンジに対応する端子にテストリードを接続して測定を行う電気測定器が広く普及している。
【０００３】
例えば、特開平４−２３３４７３号公報には、各端子に対するテストリードの接続を規制する接続規制手段が設けられた電気測定器が示されている。この電気測定器では、ファンクションスイッチにより測定レンジを選択すると、測定レンジに対応した端子に対する接続規制が解除されてテストリードが接続可能となるため、テストリードの誤接続による事故が防止される。
【０００４】
【発明が解決しようとする課題】
ところで、前述した電気測定器には、測定レンジに関係なく電源をＯＮ／ＯＦＦ可能な電源スイッチが設けられている。すなわち、この電気測定器では、例えば入力抵抗が低いＡの電流入力端子にテストリードを接続したままの状態でも電源をＯＦＦすることが可能となっている。
【０００５】
したがって、このまま次回の測定を行うと、入力抵抗が低い状態で測定を開始することになり、例えば誤って電位の高い部位にテストリードが接触すると、過大入力により内部回路が損傷したり、あるいは測定事故を引き起こす虞れがあった。
【０００６】
本発明は、このような従来の問題を解決するためになされたもので、その目的は、電源をＯＦＦした後の次回測定時に内部回路の損傷や測定事故が起こる可能性を低くできる電気測定器を提供することにある。
【０００７】
【課題を解決するための手段】
前記目的を達成するために、本発明は、少なくともＯＦＦレンジ，電圧測定レンジおよび電流測定レンジを含む各レンジを選択するファンクションスイッチと、コモン端子および前記測定レンジに対応して設けられた複数の入力端子と、前記コモン端子と前記入力端子の一つに対して選択的に接続可能な一対のテストリードと、前記ファンクションスイッチとリンク手段を介して連動し選択された前記測定レンジ以外の前記入力端子に対する前記テストリードの接続を規制する接続規制手段とを有する電気測定器において、前記接続規制手段は、前記ファンクションスイッチにより前記ＯＦＦレンジもしくは前記電圧測定レンジのいずれかが選択されている場合には電圧入力端子に対してのみ前記テストリードの接続を可能とし、前記ファンクションスイッチにより前記電流測定レンジが選択されその電流入力端子に前記テストリードが接続されている状態においては前記ＯＦＦレンジの選択を禁止することを特徴としている。
【０００８】
本発明において、前記ファンクションスイッチがロータリースイッチであり、前記接続規制手段が前記ロータリースイッチと同軸配置された円盤を有し、前記円盤の所定位置に前記入力端子に前記テストリードを接続可能とする貫通孔が形成されていることが好ましい。
【０００９】
本発明によれば、例えばＡ端子（電流入力端子）等の入力抵抗が低い端子にテストリードを接続している場合、このテストリードを入力端子から取り外さなければＯＦＦレンジを選択できない。したがって、ＯＦＦレンジを選択したときには、少なくとも入力抵抗が低い端子からテストリードが取り外されていることになり、次回の測定開始時に内部回路の損傷や測定事故が起こる虞れを低減できることになる。
【００１０】
また、ファンクションスイッチがロータリースイッチであり、接続規制手段がロータリースイッチと同軸配置された円盤を有し、この円盤の所定位置に入力端子にテストリードを接続可能とする貫通孔を形成することにより、入力端子が円盤により完全に覆われるため、例えば針金等の導電体が端子に接触することによる内部回路の損傷や測定事故を確実に防止できることになる。
【００１１】
【実施例】
以下、本発明の実施例を図面に基づいて説明する。
図１には、本発明に係る一実施例が示されている。本実施例における電気測定器１０は略直方体形状の本体１１を有している。
本体１１は、図中手前側の正面に測定レンジを選択するためのファンクションスイッチ１２が設けられている。このファンクションスイッチ１２はロータリスイッチとされ、その周囲に本体１１に内蔵されたＣＯＭ（コモン）端子１３，Ｖの電圧入力端子１４，ｍＡの電流入力端子１５およびＡの電流入力端子１６が配設されている。
なお、以下の説明において、Ｖの電圧入力端子１４，ｍＡの電流入力端子１５およびＡの電流入力端子１６をＶ端子１４，ｍＡ端子１５およびＡ端子１６と簡略化する。
【００１２】
ＣＯＭ端子１３には−側のテストリード１７が本体１１に形成された挿通孔１３Ａを挿通して接続され、Ｖ端子１４，ｍＡ端子１５およびＡ端子１６には＋側のテストリード１８が本体１１に形成された挿通孔１４Ａ，１５Ａおよび１６Ａを挿通して選択的に接続される。
これらのＶ端子１４，ｍＡ端子１５およびＡ端子１６は、ファンクションスイッチ１２の回転軸を中心として等距離位置に配置されている。
【００１３】
ファンクションスイッチ１２は、本体１１に対して回転することによりＯＦＦレンジ，Ｖレンジ，ｍＡレンジおよびＡレンジを選択可能となっている。そして、このファンクションスイッチ１２には、測定レンジに連動してＶ端子１４，ｍＡ端子１５およびＡ端子１６に対するテストリード１８の接続を規制する接続規制手段２０が設けられている。
【００１４】
図２にも示すように、接続規制手段２０は、ファンクションスイッチ１２と同軸、かつ、本体１１の内側に配置された円盤２１を有している。
円盤２１は絶縁性材料により、Ｖ端子１４，ｍＡ端子１５およびＡ端子１６を覆う被覆可能な直径を有するとともに、周方向に延びる長円形状の貫通孔２２が形成されている。
【００１５】
図３に示すように、貫通孔２２は、ファンクションスイッチ１２がＯＦＦレンジおよびＶレンジを選択しているとき、Ｖ端子１４の軸線上に位置するような湾曲した長円形状に形成されている（図３（Ａ）および図３（Ｂ）参照）。
そして、この貫通孔２２は、ファンクションスイッチ１２がｍＡレンジを選択するとｍＡ端子１５の軸線上に位置し（図３（Ｃ）参照）、ファンクションスイッチ１２がＡレンジを選択するとＡ端子１６の軸線上に位置するように形成されている（図３（Ｄ）参照）。
なお、図４に、本実施例における電気測定器１０の内部回路と規制手段２０との関係を示す。
【００１６】
したがって、接続規制手段２０は、ファンクションスイッチ１２が選択したＶレンジ，ｍＡレンジおよびＡレンジに対応して、Ｖ端子１４，ｍＡ端子１５あるいはＡ端子１６に対して個別にテストリード１８が接続可能となる。
また、ファンクションスイッチ１２がＯＦＦレンジを選択したときには、入力抵抗の高いＶ端子１４に対してのみ接続規制を解除してテストリード１８が接続可能となり、ｍＡ端子１５およびＡ端子１６に対してテストリード１８が接続不可能となる。
なお、ファンクションスイッチ１２の回転角度は、円盤２１の周面に設けられたストッパ２３が本体１１の内部に形成されたリブ１１Ａに当接することにより約１８０度に規制されている。
【００１７】
本実施例の電気測定器１０は、ファンクションスイッチ１２がＯＦＦレンジを選択している状態から使用するにあたって、測定の種類に応じてファンクションスイッチ１２を回転させることにより適宜Ｖレンジ，ｍＡレンジおよびＡレンジを選択する。
この際、例えばＡレンジを選択すると、接続規制手段２０によりＡ端子１６に対してのみ＋側のテストリード１８が接続可能となる。
したがって、−側のテストリード１７をＣＯＭ端子１３に接続するとともに、＋側のテストリード１８をＡ端子１６に接続して測定を開始する。
【００１８】
測定が終了したら、ファンクションスイッチ１２を回転させることによりＯＦＦレンジを選択する。
この際、入力抵抗の低い例えばＡ端子１６にテストリード１８が接続されていると、テストリード１８が円盤２１の回転を阻害するため、テストリード１８をＡ端子１６から取り外す必要が生ずる。
ファンクションスイッチ１２をＯＦＦレンジに回転させると、接続規制手段２０により入力抵抗が最も高いＶ端子１４に対してのみ接続規制が解除される。
【００１９】
本実施例の電気測定器１０によれば、＋側のテストリード１８をＡ端子１６に接続して測定しても、ファンクションスイッチ１２がＯＦＦレンジを選択する際に接続規制手段２０により＋側のテストリード１８をＡ端子１６から取り外す必要が生ずるとともに、入力抵抗が最も高いＶ端子１４に対してのみ＋側のテストリード１８が接続可能な状態となる。
したがって、電源がＯＦＦの状態では、テストリード１７，１８が電位の高い部位に接触しても内部回路の損傷や、測定事故の虞れが少ない。
また、次回、電流測定を行うときには、テストリード１８を改めてｍＡ端子１５やＡ端子１６に接続する必要があるため、測定にあたっての注意を喚起することができる。
【００２０】
また、接続規制手段２０は、ファンクションスイッチ１２と同軸配置された円盤２１を有するため、測定レンジに対応しないＶ端子１４，ｍＡ端子１５およびＡ端子１６を選択的、かつ、確実に覆うことができる。
したがって、例えば針金等の導電体がＶ端子１４，ｍＡ端子１５あるいはＡ端子１６に接触することによる内部回路の損傷や測定事故を確実に防止できる。
さらに、Ｖ端子１４，ｍＡ端子１５およびＡ端子１６がファンクションスイッチ１２の回転軸を中心とする等距離に配置されているため、円盤２１に形成する貫通孔２２が複数必要ない。
【００２１】
なお、前述した本実施例では、ファンクションスイッチとしてロータリースイッチが例示されていたが、図５に示すようなスライド式のファンクションスイッチ１２Ａを採用してもよい。
この場合、接続規制手段２０Ａは、ファンクションスイッチ１２Ａに連動する平面略矩形状の蓋材２４が設けられている。蓋材２４の所定位置には、円状の貫通孔２２が複数設けられている。これらの各貫通孔２２は、ファンクションスイッチ１２Ａのスライドに連動してそれぞれＶ端子１４，ｍＡ端子１５およびＡ端子１６の軸線上に移動するように設けられている。
【００２２】
さらに、ファンクションスイッチとしては、図６に示すようなプッシュ式のファンクションスイッチ１２Ｂを複数用いてもよい。
この場合、接続規制手段２０Ｂは、Ｖレンジ，ｍＡレンジおよびＡレンジを選択するための各ファンクションスイッチ１２Ｂを操作することにより、各ファンクションスイッチ１２Ｂに連動する蓋材２５に設けられた円状の貫通孔２２がそれぞれＶ端子１４，ｍＡ端子１５およびＡ端子１６の軸線上に移動するように設けられている。
これらの各ファンクションスイッチ１２Ｂは図示しないロックレリーズによりＯＦＦレンジを含む測定レンジを選択するようになっている。
その他、各端子の配置形態や接続規制手段の形態，形状，寸法，配置個所等は任意であり、本発明を達成できる範囲での改良，変形等は本発明に含まれるものである。
【００２３】
【発明の効果】
以上説明したように、本発明によれば、電流入力端子等の入力抵抗が低い端子からテストリードを取り外さなければ電源をＯＦＦできないため、電源ＯＦＦ中の過大入力による内部回路の損傷や測定事故を防止でき、かつ、次回の測定にあたって注意を喚起できる。
【図面の簡単な説明】
【図１】本発明の一実施例を示す正面図である。
【図２】図１に示すＩＩ−ＩＩ線模式断面図である。
【図３】接続規制手段の動作を示す模式断面図である。
【図４】電気測定器の内部を示す概略回路計である。
【図５】本発明の変形例を示す正面図である。
【図６】本発明の変形例を示す断面図である。
【符号の説明】
１０  電気測定器
１１  本体
１２  ファンクションスイッチ
１３  ＣＯＭ端子
１４  Ｖ端子
１５  ｍＡ端子
１６  Ａ端子
１７  −側のテストリード
１８  ＋側のテストリード
２０  接続規制手段
２１  円盤
２２  貫通孔
【図１】
0003583832.tif 000002
【図２】
0003583832.tif 000003
【図３】
0003583832.tif 000004
【図４】
0003583832.tif 000005
【図５】
0003583832.tif 000006
【図６】
0003583832.tif 000007